(57)【要約】【課題】  手間を低減することができるとともに切り取り位置を正確に調整することができる加工機能付き印刷システムを提供する。【解決手段】  画像処理装置１００は、画像データ並びに設定切取マージン方向および設定切取マージン方向に基づいて切取マージンデータを生成し、画像データおよび切取マージンデータを含む印刷データを印刷装置２００に送信する。印刷装置２００は、受信した印刷データに含まれる画像データおよび切取マージンデータに基づいて、印刷用紙５０に対象画像を印刷するとともに、受信した印刷データに含まれる画像データおよび切取マージンデータのいずれか一方に基づいて、対象画像の輪郭線から所定の間隔をもって対象画像の輪郭線に沿って対象画像を切り取る。【選択図】  図６
2005014594.tif 000002
【特許請求の範囲】
【請求項１】
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段と、前記印刷ヘッド、前記加工ヘッドおよび前記ヘッド位置変更手段を印刷データに基づいて制御する印刷制御手段とを備え、前記印刷媒体への印刷および前記印刷媒体の加工を連続して行うシステムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記印刷媒体を加工するようになっていることを特徴とする加工機能付き印刷システム。
【請求項２】
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段と、前記印刷ヘッド、前記カッティングヘッド、前記ヘッド移動手段および前記印刷媒体送出手段を印刷データに基づいて制御する印刷制御手段とを備え、前記印刷媒体への印刷および前記印刷媒体の切り取りを連続して行うシステムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記画像を切り取るようになっていることを特徴とする加工機能付き印刷システム。
【請求項３】
請求項２において、
前記画像の切取マージン幅を設定する切取マージン幅設定手段と、前記画像データおよび前記切取マージン幅設定手段で設定した設定切取マージン幅に基づいて前記切取マージンデータを生成する切取マージンデータ生成手段とを備え、
前記切取マージンデータ生成手段は、前記画像データおよび前記切取マージン幅設定手段で設定した設定切取マージン幅に基づいて、前記画像の輪郭線から前記設定切取マージン幅をもって前記画像の輪郭線に沿って形成した切取線に関する切取線情報を含む切取マージンデータを生成するようになっており、
前記印刷制御手段は、前記画像データおよび前記切取マージンデータ生成手段で生成した切取マージンデータに基づいて、前記印刷媒体に前記画像を印刷するとともに、前記画像データおよび前記切取マージンデータ生成手段で生成した切取マージンデータのいずれか一方に基づいて、前記切取線上に前記画像を切り取るようになっていることを特徴とする加工機能付き印刷システム。
【請求項４】
請求項３において、
前記切取マージンデータ生成手段は、前記設定切取マージン幅を半径とした円の中心点を前記画像の輪郭線上に移動させたときに、前記画像の輪郭線と直交しかつ前記円の中心点を通る直線と前記円の円周との交点が描く軌跡を前記切取線として形成し、形成した切取線に関する切取線情報を含む切取マージンデータを生成するようになっていることを特徴とする加工機能付き印刷システム。
【請求項５】
請求項２において、
前記画像の輪郭線より内側および外側のいずれかに切取マージンを設けるかの切取マージン方向を設定する切取マージン方向設定手段と、前記画像データおよび前記切取マージン方向設定手段で設定した設定切取マージン方向に基づいて前記切取マージンデータを生成する切取マージンデータ生成手段とを備え、
前記切取マージンデータ生成手段は、前記画像データおよび前記切取マージン方向設定手段で設定した設定切取マージン方向に基づいて、前記画像の輪郭線より前記設定切取マージン方向に所定の間隔をもって前記画像の輪郭線に沿って形成した切取線に関する切取線情報を含む切取マージンデータを生成するようになっており、
前記印刷制御手段は、前記画像データおよび前記切取マージンデータ生成手段で生成した切取マージンデータに基づいて、前記印刷媒体に前記画像を印刷するとともに、前記画像データおよび前記切取マージンデータ生成手段で生成した切取マージンデータのいずれか一方に基づいて、前記切取線上に前記画像を切り取るようになっていることを特徴とする加工機能付き印刷システム。
【請求項６】
請求項５において、
前記切取マージン方向設定手段は、前記画像データに基づいて表示される画像領域のうち前記画像の内側が指示されたときは、前記画像の輪郭線より内側に切取マージンを設けるものとして切取マージン方向を設定し、前記画像データに基づいて表示される画像領域のうち前記画像の外側が指示されたときは、前記画像の輪郭線より外側に切取マージンを設けるものとして切取マージン方向を設定するようになっていることを特徴とする加工機能付き印刷システム。
【請求項７】
請求項２ないし６のいずれか１項において、
前記画像データおよび前記切取マージンデータに基づいて前記画像の印刷位置および切り取り位置を調整する画像位置調整手段を備え、
前記画像位置調整手段は、前記画像データに複数の画像が含まれる場合に、前記複数の画像のうち第１画像およびその切取マージンを含む第１切取領域と、前記複数の画像のうち第２画像およびその切取マージンを含む第２切取領域とが重なり合っているときは、前記第１切取領域と前記第２切取領域とが重なり合わないように、前記第１画像の印刷位置および切り取り位置、または前記第２画像の印刷位置および切り取り位置を変更するようになっていることを特徴とする加工機能付き印刷システム。
【請求項８】
請求項３および４のいずれか１項において、
印刷装置と、画像処理装置とを通信可能に接続し、
前記画像処理装置は、前記切取マージン幅設定手段と、前記切取マージンデータ生成手段と、前記画像データおよび前記切取マージンデータ生成手段で生成した切取マージンデータを含む印刷データを前記印刷装置に送信する印刷データ送信手段とを有し、
前記印刷装置は、前記印刷ヘッドと、前記カッティングヘッドと、前記ヘッド移動手段と、前記印刷媒体送出手段と、前記印刷制御手段と、前記印刷データを受信する印刷データ受信手段とを有し、
前記印刷制御手段は、前記印刷データ受信手段で受信した印刷データに含まれる画像データおよび切取マージンデータに基づいて、前記印刷媒体に前記画像を印刷するとともに、前記印刷データ受信手段で受信した印刷データに含まれる画像データおよび切取マージンデータのいずれか一方に基づいて、前記切取線上に前記画像を切り取るようになっていることを特徴とする加工機能付き印刷システム。
【請求項９】
請求項５および６のいずれか１項において、
印刷装置と、画像処理装置とを通信可能に接続し、
前記画像処理装置は、前記切取マージン方向設定手段と、前記切取マージンデータ生成手段と、前記画像データおよび前記切取マージンデータ生成手段で生成した切取マージンデータを含む印刷データを前記印刷装置に送信する印刷データ送信手段とを有し、
前記印刷装置は、前記印刷ヘッドと、前記カッティングヘッドと、前記ヘッド移動手段と、前記印刷媒体送出手段と、前記印刷制御手段と、前記印刷データを受信する印刷データ受信手段とを有し、
前記印刷制御手段は、前記印刷データ受信手段で受信した印刷データに含まれる画像データおよび切取マージンデータに基づいて、前記印刷媒体に前記画像を印刷するとともに、前記印刷データ受信手段で受信した印刷データに含まれる画像データおよび切取マージンデータのいずれか一方に基づいて、前記切取線上に前記画像を切り取るようになっていることを特徴とする加工機能付き印刷システム。
【請求項１０】
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段と、前記印刷ヘッド、前記加工ヘッドおよび前記ヘッド位置変更手段を印刷データに基づいて制御する印刷制御手段とを備え、前記印刷媒体への印刷および前記印刷媒体の加工を連続して行うシステムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記印刷媒体を加工するようになっていることを特徴とする加工機能付き印刷システム。
【請求項１１】
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段と、前記印刷ヘッド、前記カッティングヘッド、前記ヘッド移動手段および前記印刷媒体送出手段を印刷データに基づいて制御する印刷制御手段とを備え、前記印刷媒体への印刷および前記印刷媒体の切り取りを連続して行うシステムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記画像を切り取るようになっていることを特徴とする加工機能付き印刷システム。
【請求項１２】
画像データに基づいて構成される画像の切取マージン幅を設定する切取マージン幅設定手段と、前記画像データおよび前記切取マージン幅設定手段で設定した設定切取マージン幅に基づいて前記画像の切取マージンに関する切取マージンデータを生成する切取マージンデータ生成手段と、前記画像データおよび前記切取マージンデータ生成手段で生成した切取マージンデータを含む印刷データを送信する印刷データ送信手段とを備え、
前記切取マージンデータ生成手段は、前記画像データおよび前記切取マージン幅設定手段で設定した設定切取マージン幅に基づいて、前記画像の輪郭線から前記設定切取マージン幅をもって前記画像の輪郭線に沿って形成した切取線に関する切取線情報を含む切取マージンデータを生成するようになっていることを特徴とする画像処理装置。
【請求項１３】
画像データに基づいて構成される画像の輪郭線より内側および外側のいずれかに切取マージンを設けるかの切取マージン方向を設定する切取マージン方向設定手段と、前記画像データおよび前記切取マージン方向設定手段で設定した設定切取マージン方向に基づいて前記切取マージンデータを生成する切取マージンデータ生成手段と、前記画像データおよび前記切取マージンデータ生成手段で生成した切取マージンデータを含む印刷データを送信する印刷データ送信手段とを備え、
前記切取マージンデータ生成手段は、前記画像データおよび前記切取マージン方向設定手段で設定した設定切取マージン方向に基づいて、前記画像の輪郭線より前記設定切取マージン方向に所定の間隔をもって前記画像の輪郭線に沿って形成した切取線に関する切取線情報を含む切取マージンデータを生成するようになっていることを特徴とする画像処理装置。
【請求項１４】
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段とを備えるコンピュータシステムに、前記印刷ヘッド、前記加工ヘッドおよび前記ヘッド位置変更手段を印刷データに基づいて制御する印刷制御手段として実現される処理を実行させるためのプログラムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記印刷媒体を加工するようになっていることを特徴とする加工印刷プログラム。
【請求項１５】
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段とを備えるコンピュータシステムに、前記印刷ヘッド、前記カッティングヘッド、前記ヘッド移動手段および前記印刷媒体送出手段を印刷データに基づいて制御する印刷制御手段として実現される処理を実行させるためのプログラムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記画像を切り取るようになっていることを特徴とする加工印刷プログラム。
【請求項１６】
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段とを備えるコンピュータシステムに、前記印刷ヘッド、前記加工ヘッドおよび前記ヘッド位置変更手段を印刷データに基づいて制御する印刷制御手段として実現される処理を実行させるためのプログラムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記印刷媒体を加工するようになっていることを特徴とする加工印刷プログラム。
【請求項１７】
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段とを備えるコンピュータシステムに、前記印刷ヘッド、前記カッティングヘッド、前記ヘッド移動手段および前記印刷媒体送出手段を印刷データに基づいて制御する印刷制御手段として実現される処理を実行させるためのプログラムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記画像を切り取るようになっていることを特徴とする加工印刷プログラム。
【請求項１８】
画像データに基づいて構成される画像の切取マージン幅を設定する切取マージン幅設定手段、前記画像データおよび前記切取マージン幅設定手段で設定した設定切取マージン幅に基づいて前記画像の切取マージンに関する切取マージンデータを生成する切取マージンデータ生成手段、並びに前記画像データおよび前記切取マージンデータ生成手段で生成した切取マージンデータを含む印刷データを送信する印刷データ送信手段として実現される処理をコンピュータに実行させるためのプログラムを含み、
前記切取マージンデータ生成手段は、前記画像データおよび前記切取マージン幅設定手段で設定した設定切取マージン幅に基づいて、前記画像の輪郭線から前記設定切取マージン幅をもって前記画像の輪郭線に沿って形成した切取線に関する切取線情報を含む切取マージンデータを生成するようになっていることを特徴とする画像処理プログラム。
【請求項１９】
画像データに基づいて構成される画像の輪郭線より内側および外側のいずれかに切取マージンを設けるかの切取マージン方向を設定する切取マージン方向設定手段、前記画像データおよび前記切取マージン方向設定手段で設定した設定切取マージン方向に基づいて前記切取マージンデータを生成する切取マージンデータ生成手段、並びに前記画像データおよび前記切取マージンデータ生成手段で生成した切取マージンデータを含む印刷データを送信する印刷データ送信手段として実現される処理をコンピュータに実行させるためのプログラムを含み、
前記切取マージンデータ生成手段は、前記画像データおよび前記切取マージン方向設定手段で設定した設定切取マージン方向に基づいて、前記画像の輪郭線より前記設定切取マージン方向に所定の間隔をもって前記画像の輪郭線に沿って形成した切取線に関する切取線情報を含む切取マージンデータを生成するようになっていることを特徴とする画像処理プログラム。
【請求項２０】
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段とを備える加工機能付き印刷システムを利用して前記印刷媒体への印刷および前記印刷媒体の加工を連続して行う方法であって、
前記印刷ヘッド、前記カッティングヘッド、前記ヘッド移動手段および前記印刷媒体送出手段を印刷データに基づいて制御する印刷制御ステップを含み、
前記印刷データは、画像を印刷する画像データと、前記画像の切取マージンに関する切取マージンデータとを含み、
前記印刷制御ステップは、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記印刷媒体を加工することを特徴とする加工印刷方法。
【請求項２１】
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段とを備える加工機能付き印刷システムを利用して前記印刷媒体への印刷および前記印刷媒体の切り取りを連続して行う方法であって、
前記印刷ヘッド、前記カッティングヘッド、前記ヘッド移動手段および前記印刷媒体送出手段を印刷データに基づいて制御する印刷制御ステップを含み、
前記印刷データは、画像を印刷する画像データと、前記画像の切取マージンに関する切取マージンデータとを含み、
前記印刷制御ステップは、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記画像を切り取ることを特徴とする加工印刷方法。
【請求項２２】
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段とを備える加工機能付き印刷システムを利用して前記印刷媒体への印刷および前記印刷媒体の加工を連続して行う方法であって、
前記印刷ヘッド、前記加工ヘッドおよび前記ヘッド位置変更手段を印刷データに基づいて制御する印刷制御ステップを含み、
前記印刷データは、画像を印刷する画像データと、前記画像の切取マージンに関する切取マージンデータとを含み、
前記印刷制御ステップは、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記印刷媒体を加工することを特徴とする加工印刷方法。
【請求項２３】
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段とを備える加工機能付き印刷システムを利用して前記印刷媒体への印刷および前記印刷媒体の切り取りを連続して行う方法であって、
前記印刷ヘッド、前記カッティングヘッド、前記ヘッド移動手段および前記印刷媒体送出手段を印刷データに基づいて制御する印刷制御ステップを含み、
前記印刷データは、画像を印刷する画像データと、前記画像の切取マージンに関する切取マージンデータとを含み、
前記印刷制御ステップは、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記画像を切り取ることを特徴とする加工印刷方法。
【発明の詳細な説明】
【技術分野】
【０００１】
本発明は、印刷用紙への印刷および印刷用紙の切り取りを行うシステムおよびプログラム、並びに方法に係り、特に、手間を低減することができるとともに切り取り位置を正確に調整することができる加工機能付き印刷システム、画像処理装置、加工印刷プログラムおよび画像処理プログラム、並びに加工印刷方法に関する。
【背景技術】
【０００２】
従来、印刷用紙への印刷および印刷用紙の切り取りを行う技術としては、例えば、特許文献１に開示されているプリンタの用紙カット機構（以下、第１の従来例という。）、特許文献２に開示されている画像作成および切り抜き装置（以下、第２の従来例という。）、特許文献３に開示されている画像切り抜き方法（以下、第３の従来例という。）、および特許文献４に開示されているインクジェットプリントシステムにおけるランダム加工装置（以下、第４の従来例という。）があった。
【０００３】
第１の従来例は、プリントヘッドキャリアにソレノイドが装着されていて、ソレノイドには刃物が取り付けられている。プリンタの印字動作中に上位装置より用紙カットの信号を受けると、ソレノイドを動作させ、刃物を突出させる。突出した刃物は、プリントヘッドの移動によって横方向の用紙カットを行う。同様にプリントヘッドキャリアに縦用刃物および縦用ソレノイドを設け、縦用刃物を突出させて印刷用紙の改行、改頁を行って印刷用紙を縦方向にカットする。
【０００４】
第２の従来例は、熱転写型プリンタヘッドとカッティングヘッドとを一体化して移動可能に支持する一本のガイドレールと、熱転写型プリンタヘッドとカッティングヘッドとを画像データに基づき移動制御するヘッド駆動部と、画像データに基づきシートをガイドレールと直交する方向に送るシート駆動部と、熱転写型プリンタヘッドの移動範囲の下方位置に配設されたプリンタ用プラテンと、カッティングヘッドの移動範囲の下方位置に配設されたカッティング用プラテンとを備え、画像データに基づくヘッド駆動部の駆動によって、常に両ヘッドがともにガイドレールに沿って摺動するようになされている。
【０００５】
第３の従来例は、巻取りボビンおよび送出しボビンに係合する１対のコアと、何れか一方のコアの外周に配設されたカムと、カムのカム本体に接触するカムフォロワを一端部に有しかつ他端部をプラテンの延在方向と直交する方向に揺動自在に軸支されたアームと、印刷用紙を切断可能とするカッティング用カッターを有するカッティングヘッドと、アームの他端部が接続された基板と、基板およびカッティングヘッドの間に介在する緩衝部材とを備え、カッティングヘッドを画像データに基づいて駆動させるようになっている。
【０００６】
第４の従来例は、インクジェットプリンタに対して相対的に移動する連続紙の表裏両面に、所望のレイアウトパターンに従って多色印刷を行うインクジェットプリントシステムであって、インクジェットプリンタの下流側にマーク検知部を備えたランダム加工ユニットを設けてなり、ランダム加工ユニットが、連続紙上に設けたランダムマークを読み取るマーク検知部の出力信号に応答して作動するようにした。
【特許文献１】特開平８−２８２０２９号公報
【特許文献２】特開平８−３００２９７号公報
【特許文献３】特開平１１−３２０４８７号公報
【特許文献４】特開平１１−３４８２６２号公報
【発明の開示】
【発明が解決しようとする課題】
【０００７】
このように、第１ないし第３の従来例にあってはいずれも、画像データに基づいて画像の印刷および切り取りを行うようになっているので、印刷された画像をその輪郭線上に切り取ることができる。しかしながら、画像の印刷および切り取りを別々に行うので、手間を要するとともに、切り取り位置の調整が困難であるという問題があった。
また、第４の従来例にあっては、ランダム加工ユニットにより印刷用紙にランダム加工を行うようになっているが、画像の切り抜きを行うものではない。
【０００８】
そこで、本発明は、このような従来の技術の有する未解決の課題に着目してなされたものであって、手間を低減することができるとともに切り取り位置を正確に調整することができる加工機能付き印刷システム、画像処理装置、加工印刷プログラムおよび画像処理プログラム、並びに加工印刷方法を提供することを目的としている。
【課題を解決するための手段】
【０００９】
〔発明１〕  上記目的を達成するために、発明１の加工機能付き印刷システムは、
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段と、前記印刷ヘッド、前記加工ヘッドおよび前記ヘッド位置変更手段を印刷データに基づいて制御する印刷制御手段とを備え、前記印刷媒体への印刷および前記印刷媒体の加工を連続して行うシステムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記印刷媒体を加工するようになっていることを特徴とする。
【００１０】
このような構成であれば、印刷データが与えられると、与えられた印刷データには画像データおよび切取マージンデータが含まれているので、印刷制御手段により、画像データおよび切取マージンデータに基づいて、印刷ヘッド、加工ヘッドおよびヘッド位置変更手段が制御される。その結果、ヘッド位置変更手段により、印刷ヘッドおよび加工ヘッドの印刷媒体に対する相対位置が変更されつつ、印刷ヘッドにより、印刷媒体に画像が印刷されるとともに、カッティングヘッドにより、画像の輪郭線から所定の間隔をもって画像の輪郭線に沿って印刷媒体が加工される。
【００１１】
これにより、画像の輪郭線から所定の切取マージンをもって印刷媒体を加工することができるという効果が得られる。また、その場合でも、印刷媒体への印刷および印刷媒体の加工を連続して行うことができるので、従来に比して、切取マージンをもって印刷媒体を加工する場合の手間を低減することができるとともに、加工位置を比較的正確に調整することができるという効果も得られる。
【００１２】
ここで、印刷制御手段は、印刷媒体を加工するようになっていればどのような構成であってもよく、例えば、印刷媒体に印刷される画像を切り取るほか、印刷媒体に印刷される画像に切取線を形成するようになっていてもよい。以下、発明１０の加工機能付き印刷システム、並びに発明１７および１９の加工印刷プログラムにおいて同じである。
また、ヘッド位置変更手段は、印刷ヘッドおよび加工ヘッドの印刷媒体に対する相対位置を変更するようになっていればどのような構成であってもよく、例えば、印刷媒体を固定して印刷ヘッドおよび加工ヘッドを移動させるようになっていてもよいし、印刷ヘッドおよび加工ヘッドを固定して印刷媒体を移動させるようになっていてもよい。その他、第１走査方向については印刷媒体を固定して印刷ヘッドおよび加工ヘッドを移動させ、第１走査方向と交差する第２走査方向については印刷ヘッドおよび加工ヘッドを固定して印刷媒体を移動させるようになっていてもよい。以下、発明１０の加工機能付き印刷システム、発明１７および１９の加工印刷プログラム、並びに発明２６および３５の加工印刷方法において同じである。
【００１３】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、発明２、１０および１１の加工機能付き印刷システムにおいて同じである。
【００１４】
〔発明２〕  さらに、発明２の加工機能付き印刷システムは、
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段と、前記印刷ヘッド、前記カッティングヘッド、前記ヘッド移動手段および前記印刷媒体送出手段を印刷データに基づいて制御する印刷制御手段とを備え、前記印刷媒体への印刷および前記印刷媒体の切り取りを連続して行うシステムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記画像を切り取るようになっていることを特徴とする。
【００１５】
このような構成であれば、印刷データが与えられると、与えられた印刷データには画像データおよび切取マージンデータが含まれているので、印刷制御手段により、画像データおよび切取マージンデータに基づいて、印刷ヘッド、カッティングヘッド、ヘッド移動手段および印刷媒体送出手段が制御される。その結果、ヘッド移動手段により、印刷ヘッドおよびカッティングヘッドが一体となって第１走査方向に移動するとともに、印刷媒体送出手段により、第１走査方向と交差する第２走査方向に印刷媒体が送出される。そして、印刷ヘッドにより、印刷媒体に画像が印刷されるとともに、カッティングヘッドにより、画像の輪郭線から所定の間隔をもって画像の輪郭線に沿って画像が切り取られる。
【００１６】
これにより、画像の輪郭線から所定の切取マージンをもって画像を切り取ることができるという効果が得られる。また、その場合でも、印刷媒体への印刷および印刷媒体の切り取りを連続して行うことができるので、従来に比して、切取マージンをもって画像を切り取る場合の手間を低減することができるとともに、切り取り位置を比較的正確に調整することができるという効果も得られる。
【００１７】
〔発明３〕  さらに、発明３の加工機能付き印刷システムは、発明２の加工機能付き印刷システムにおいて、
前記画像の切取マージン幅を設定する切取マージン幅設定手段と、前記画像データおよび前記切取マージン幅設定手段で設定した設定切取マージン幅に基づいて前記切取マージンデータを生成する切取マージンデータ生成手段とを備え、
前記切取マージンデータ生成手段は、前記画像データおよび前記切取マージン幅設定手段で設定した設定切取マージン幅に基づいて、前記画像の輪郭線から前記設定切取マージン幅をもって前記画像の輪郭線に沿って形成した切取線に関する切取線情報を含む切取マージンデータを生成するようになっており、
前記印刷制御手段は、前記画像データおよび前記切取マージンデータ生成手段で生成した切取マージンデータに基づいて、前記印刷媒体に前記画像を印刷するとともに、前記画像データおよび前記切取マージンデータ生成手段で生成した切取マージンデータのいずれか一方に基づいて、前記切取線上に前記画像を切り取るようになっていることを特徴とする。
【００１８】
このような構成であれば、切取マージン幅設定手段により画像の切取マージン幅が設定されると、切取マージンデータ生成手段により、画像データおよび設定切取マージン幅に基づいて、画像の輪郭線から設定切取マージン幅をもって画像の輪郭線に沿って形成した切取線に関する切取線情報を含む切取マージンデータが生成される。そして、印刷制御手段により、画像データおよび生成された切取マージンデータに基づいて、印刷媒体に画像が印刷されるとともに、画像データおよび生成された切取マージンデータのいずれか一方に基づいて、切取線上に画像が切り取られる。
【００１９】
これにより、ユーザが所望する切取マージン幅を設定することができるという効果も得られる。また、画像データおよび設定切取マージン幅に基づいて切取マージンデータが生成されるので、切取マージンデータを生成する手間を低減することができるという効果も得られる。
【００２０】
〔発明４〕  さらに、発明４の加工機能付き印刷システムは、発明３の加工機能付き印刷システムにおいて、
前記切取マージンデータ生成手段は、前記設定切取マージン幅を半径とした円の中心点を前記画像の輪郭線上に移動させたときに、前記画像の輪郭線と直交しかつ前記円の中心点を通る直線と前記円の円周との交点が描く軌跡を前記切取線として形成し、形成した切取線に関する切取線情報を含む切取マージンデータを生成するようになっていることを特徴とする。
【００２１】
このような構成であれば、切取マージンデータ生成手段により、設定切取マージン幅を半径とした円の中心点を画像の輪郭線上に移動させたときに、画像の輪郭線と直交しかつ円の中心点を通る直線と円の円周との交点が描く軌跡が切取線として形成され、形成された切取線に関する切取線情報を含む切取マージンデータが生成される。
これにより、画像の輪郭線全周にわたってほぼ均一な切取マージンをもって画像を切り取ることができるという効果も得られる。
【００２２】
〔発明５〕  さらに、発明５の加工機能付き印刷システムは、発明２の加工機能付き印刷システムにおいて、
前記画像の輪郭線より内側および外側のいずれかに切取マージンを設けるかの切取マージン方向を設定する切取マージン方向設定手段と、前記画像データおよび前記切取マージン方向設定手段で設定した設定切取マージン方向に基づいて前記切取マージンデータを生成する切取マージンデータ生成手段とを備え、
前記切取マージンデータ生成手段は、前記画像データおよび前記切取マージン方向設定手段で設定した設定切取マージン方向に基づいて、前記画像の輪郭線より前記設定切取マージン方向に所定の間隔をもって前記画像の輪郭線に沿って形成した切取線に関する切取線情報を含む切取マージンデータを生成するようになっており、
前記印刷制御手段は、前記画像データおよび前記切取マージンデータ生成手段で生成した切取マージンデータに基づいて、前記印刷媒体に前記画像を印刷するとともに、前記画像データおよび前記切取マージンデータ生成手段で生成した切取マージンデータのいずれか一方に基づいて、前記切取線上に前記画像を切り取るようになっていることを特徴とする。
【００２３】
このような構成であれば、切取マージン方向設定手段により切取マージン方向が設定されると、切取マージンデータ生成手段により、画像データおよび設定切取マージン方向に基づいて、画像の輪郭線より設定切取マージン方向に所定の間隔をもって画像の輪郭線に沿って形成した切取線に関する切取線情報を含む切取マージンデータが生成される。そして、印刷制御手段により、画像データおよび生成された切取マージンデータに基づいて、印刷媒体に画像が印刷されるとともに、画像データおよび生成された切取マージンデータのいずれか一方に基づいて、切取線上に画像が切り取られる。
【００２４】
これにより、ユーザが所望する切取マージン方向を設定することができるという効果も得られる。また、画像データおよび設定切取マージン方向に基づいて切取マージンデータが生成されるので、切取マージンデータを生成する手間を低減することができるという効果も得られる。
【００２５】
〔発明６〕  さらに、発明６の加工機能付き印刷システムは、発明５の加工機能付き印刷システムにおいて、
前記切取マージン方向設定手段は、前記画像データに基づいて表示される画像領域のうち前記画像の内側が指示されたときは、前記画像の輪郭線より内側に切取マージンを設けるものとして切取マージン方向を設定し、前記画像データに基づいて表示される画像領域のうち前記画像の外側が指示されたときは、前記画像の輪郭線より外側に切取マージンを設けるものとして切取マージン方向を設定するようになっていることを特徴とする。
【００２６】
このような構成であれば、画像領域のうち画像の内側が指示されると、切取マージン方向設定手段により、画像の輪郭線より内側に切取マージンを設けるものとして切取マージン方向が設定される。また、画像領域のうち画像の外側が指示されると、画像の輪郭線より外側に切取マージンを設けるものとして切取マージン方向が設定される。
これにより、画像の内側か外側を指示するだけでよいので、切取マージン方向の設定を比較的容易に行うことができるという効果も得られる。
【００２７】
〔発明７〕  さらに、発明７の加工機能付き印刷システムは、発明２ないし６のいずれか１の加工機能付き印刷システムにおいて、
前記画像データおよび前記切取マージンデータに基づいて前記画像の印刷位置および切り取り位置を調整する画像位置調整手段を備え、
前記画像位置調整手段は、前記画像データに複数の画像が含まれる場合に、前記複数の画像のうち第１画像およびその切取マージンを含む第１切取領域と、前記複数の画像のうち第２画像およびその切取マージンを含む第２切取領域とが重なり合っているときは、前記第１切取領域と前記第２切取領域とが重なり合わないように、前記第１画像の印刷位置および切り取り位置、または前記第２画像の印刷位置および切り取り位置を変更するようになっていることを特徴とする。
【００２８】
このような構成であれば、画像データに複数の画像が含まれる場合に、第１画像およびその切取マージンを含む第１切取領域と、第２画像およびその切取マージンを含む第２切取領域とが重なり合っていると、画像位置調整手段により、第１切取領域と第２切取領域とが重なり合わないように、第１画像の印刷位置および切り取り位置、または第２画像の印刷位置および切り取り位置が変更される。
これにより、画像データに複数の画像が含まれる場合に、第１切取領域および第２切取領域を他方の切取領域が干渉することなく切り取ることができるという効果も得られる。
【００２９】
〔発明８〕  さらに、発明８の加工機能付き印刷システムは、発明３および４のいずれか１の加工機能付き印刷システムにおいて、
印刷装置と、画像処理装置とを通信可能に接続し、
前記画像処理装置は、前記切取マージン幅設定手段と、前記切取マージンデータ生成手段と、前記画像データおよび前記切取マージンデータ生成手段で生成した切取マージンデータを含む印刷データを前記印刷装置に送信する印刷データ送信手段とを有し、
前記印刷装置は、前記印刷ヘッドと、前記カッティングヘッドと、前記ヘッド移動手段と、前記印刷媒体送出手段と、前記印刷制御手段と、前記印刷データを受信する印刷データ受信手段とを有し、
前記印刷制御手段は、前記印刷データ受信手段で受信した印刷データに含まれる画像データおよび切取マージンデータに基づいて、前記印刷媒体に前記画像を印刷するとともに、前記印刷データ受信手段で受信した印刷データに含まれる画像データおよび切取マージンデータのいずれか一方に基づいて、前記切取線上に前記画像を切り取るようになっていることを特徴とする。
【００３０】
このような構成であれば、画像処理装置では、切取マージン幅設定手段により画像の切取マージン幅が設定されると、切取マージンデータ生成手段により、画像データおよび設定切取マージン幅に基づいて、画像の輪郭線から設定切取マージン幅をもって画像の輪郭線に沿って形成した切取線に関する切取線情報を含む切取マージンデータが生成される。そして、印刷データ送信手段により、画像データおよび生成された切取マージンデータを含む印刷データが印刷装置に送信される。
【００３１】
印刷装置では、印刷データ受信手段により印刷データを受信すると、受信した印刷データには画像データおよび切取マージンデータが含まれているので、印刷制御手段により、画像データおよび切取マージンデータに基づいて、印刷ヘッド、カッティングヘッド、ヘッド移動手段および印刷媒体送出手段が制御される。その結果、ヘッド移動手段により、印刷ヘッドおよびカッティングヘッドが一体となって第１走査方向に移動するとともに、印刷媒体送出手段により、第１走査方向と交差する第２走査方向に印刷媒体が送出される。そして、印刷ヘッドにより、印刷媒体に画像が印刷されるとともに、カッティングヘッドにより、切取線上に画像が切り取られる。
これにより、発明３の加工機能付き印刷システムと同等の効果が得られる。
【００３２】
〔発明９〕  さらに、発明９の加工機能付き印刷システムは、発明５および６のいずれか１の加工機能付き印刷システムにおいて、
印刷装置と、画像処理装置とを通信可能に接続し、
前記画像処理装置は、前記切取マージン方向設定手段と、前記切取マージンデータ生成手段と、前記画像データおよび前記切取マージンデータ生成手段で生成した切取マージンデータを含む印刷データを前記印刷装置に送信する印刷データ送信手段とを有し、
前記印刷装置は、前記印刷ヘッドと、前記カッティングヘッドと、前記ヘッド移動手段と、前記印刷媒体送出手段と、前記印刷制御手段と、前記印刷データを受信する印刷データ受信手段とを有し、
前記印刷制御手段は、前記印刷データ受信手段で受信した印刷データに含まれる画像データおよび切取マージンデータに基づいて、前記印刷媒体に前記画像を印刷するとともに、前記印刷データ受信手段で受信した印刷データに含まれる画像データおよび切取マージンデータのいずれか一方に基づいて、前記切取線上に前記画像を切り取るようになっていることを特徴とする。
【００３３】
このような構成であれば、画像処理装置では、切取マージン方向設定手段により切取マージン方向が設定されると、切取マージンデータ生成手段により、画像データおよび設定切取マージン方向に基づいて、画像の輪郭線より設定切取マージン方向に所定の間隔をもって画像の輪郭線に沿って形成した切取線に関する切取線情報を含む切取マージンデータが生成される。そして、印刷データ送信手段により、画像データおよび生成された切取マージンデータを含む印刷データが印刷装置に送信される。
【００３４】
印刷装置では、印刷データ受信手段により印刷データを受信すると、受信した印刷データには画像データおよび切取マージンデータが含まれているので、印刷制御手段により、画像データおよび切取マージンデータに基づいて、印刷ヘッド、カッティングヘッド、ヘッド移動手段および印刷媒体送出手段が制御される。その結果、ヘッド移動手段により、印刷ヘッドおよびカッティングヘッドが一体となって第１走査方向に移動するとともに、印刷媒体送出手段により、第１走査方向と交差する第２走査方向に印刷媒体が送出される。そして、印刷ヘッドにより、印刷媒体に画像が印刷されるとともに、カッティングヘッドにより、切取線上に画像が切り取られる。
これにより、発明５の加工機能付き印刷システムと同等の効果が得られる。
【００３５】
〔発明１０〕  さらに、発明１０の加工機能付き印刷システムは、
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段と、前記印刷ヘッド、前記加工ヘッドおよび前記ヘッド位置変更手段を印刷データに基づいて制御する印刷制御手段とを備え、前記印刷媒体への印刷および前記印刷媒体の加工を連続して行うシステムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記印刷媒体を加工するようになっていることを特徴とする。
【００３６】
このような構成であれば、印刷データが与えられると、与えられた印刷データには画像データおよび切取マージンデータが含まれているので、印刷制御手段により、画像データおよび切取マージンデータに基づいて、印刷ヘッド、加工ヘッドおよびヘッド位置変更手段が制御される。その結果、ヘッド位置変更手段により、印刷ヘッドおよび加工ヘッドの印刷媒体に対する相対位置が変更されつつ、印刷ヘッドにより、印刷媒体に画像が印刷されるとともに、カッティングヘッドにより、画像の輪郭線上に印刷媒体が加工される。
これにより、印刷媒体への印刷および印刷媒体の加工を連続して行うことができるので、従来に比して、印刷媒体を加工する場合の手間を低減することができるとともに、加工位置を比較的正確に調整することができるという効果も得られる。
【００３７】
〔発明１１〕  さらに、発明１１の加工機能付き印刷システムは、
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段と、前記印刷ヘッド、前記カッティングヘッド、前記ヘッド移動手段および前記印刷媒体送出手段を印刷データに基づいて制御する印刷制御手段とを備え、前記印刷媒体への印刷および前記印刷媒体の切り取りを連続して行うシステムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記画像を切り取るようになっていることを特徴とする。
【００３８】
このような構成であれば、印刷データが与えられると、与えられた印刷データには画像データおよび切取マージンデータが含まれているので、印刷制御手段により、画像データおよび切取マージンデータに基づいて、印刷ヘッド、カッティングヘッド、ヘッド移動手段および印刷媒体送出手段が制御される。その結果、ヘッド移動手段により、印刷ヘッドおよびカッティングヘッドが一体となって第１走査方向に移動するとともに、印刷媒体送出手段により、第１走査方向と交差する第２走査方向に印刷媒体が送出される。そして、印刷ヘッドにより、印刷媒体に画像が印刷されるとともに、カッティングヘッドにより、画像の輪郭線上に画像が切り取られる。
【００３９】
これにより、印刷媒体への印刷および印刷媒体の切り取りを連続して行うことができるので、従来に比して、画像を切り取る場合の手間を低減することができるとともに、切り取り位置を比較的正確に調整することができるという効果も得られる。
【００４０】
〔発明１２〕  一方、上記目的を達成するために、発明１２の画像処理装置は、
画像データに基づいて構成される画像の切取マージン幅を設定する切取マージン幅設定手段と、前記画像データおよび前記切取マージン幅設定手段で設定した設定切取マージン幅に基づいて前記画像の切取マージンに関する切取マージンデータを生成する切取マージンデータ生成手段と、前記画像データおよび前記切取マージンデータ生成手段で生成した切取マージンデータを含む印刷データを送信する印刷データ送信手段とを備え、
前記切取マージンデータ生成手段は、前記画像データおよび前記切取マージン幅設定手段で設定した設定切取マージン幅に基づいて、前記画像の輪郭線から前記設定切取マージン幅をもって前記画像の輪郭線に沿って形成した切取線に関する切取線情報を含む切取マージンデータを生成するようになっていることを特徴とする。
このような構成であれば、発明８の加工機能付き印刷システムにおける画像処理装置と同等の作用が得られる。したがって、発明８の加工機能付き印刷システムと同等の効果が得られる。
【００４１】
〔発明１３〕  さらに、発明１３の画像処理装置は、発明１２の画像処理装置において、
前記切取マージンデータ生成手段は、前記設定切取マージン幅を半径とした円の中心点を前記画像の輪郭線上に移動させたときに、前記画像の輪郭線と直交しかつ前記円の中心点を通る直線と前記円の円周との交点が描く軌跡を前記切取線として形成し、形成した切取線に関する切取線情報を含む切取マージンデータを生成するようになっていることを特徴とする。
このような構成であれば、発明４の加工機能付き印刷システムと同等の作用および効果が得られる。
【００４２】
〔発明１４〕  さらに、発明１４の画像処理装置は、
画像データに基づいて構成される画像の輪郭線より内側および外側のいずれかに切取マージンを設けるかの切取マージン方向を設定する切取マージン方向設定手段と、前記画像データおよび前記切取マージン方向設定手段で設定した設定切取マージン方向に基づいて前記切取マージンデータを生成する切取マージンデータ生成手段と、前記画像データおよび前記切取マージンデータ生成手段で生成した切取マージンデータを含む印刷データを送信する印刷データ送信手段とを備え、
前記切取マージンデータ生成手段は、前記画像データおよび前記切取マージン方向設定手段で設定した設定切取マージン方向に基づいて、前記画像の輪郭線より前記設定切取マージン方向に所定の間隔をもって前記画像の輪郭線に沿って形成した切取線に関する切取線情報を含む切取マージンデータを生成するようになっていることを特徴とする。
【００４３】
このような構成であれば、発明９の加工機能付き印刷システムにおける画像処理装置と同等の作用が得られる。したがって、発明９の加工機能付き印刷システムと同等の効果が得られる。
【００４４】
〔発明１５〕  さらに、発明１５の画像処理装置は、発明１４の画像処理装置において、
前記切取マージン方向設定手段は、前記画像データに基づいて表示される画像領域のうち前記画像の内側が指示されたときは、前記画像の輪郭線より内側に切取マージンを設けるものとして切取マージン方向を設定し、前記画像データに基づいて表示される画像領域のうち前記画像の外側が指示されたときは、前記画像の輪郭線より外側に切取マージンを設けるものとして切取マージン方向を設定するようになっていることを特徴とする。
このような構成であれば、発明６の加工機能付き印刷システムと同等の作用および効果が得られる。
【００４５】
〔発明１６〕  さらに、発明１６の画像処理装置は、発明１２ないし１５のいずれか１の画像処理装置において、
前記画像データおよび前記切取マージンデータに基づいて前記画像の印刷位置および切り取り位置を調整する画像位置調整手段を備え、
前記画像位置調整手段は、前記画像データに複数の画像が含まれる場合に、前記複数の画像のうち第１画像およびその切取マージンを含む第１切取領域と、前記複数の画像のうち第２画像およびその切取マージンを含む第２切取領域とが重なり合っているときは、前記第１切取領域と前記第２切取領域とが重なり合わないように、前記第１画像の印刷位置および切り取り位置、または前記第２画像の印刷位置および切り取り位置を変更するようになっていることを特徴とする。
このような構成であれば、発明７の加工機能付き印刷システムと同等の作用および効果が得られる。
【００４６】
〔発明１７〕  一方、上記目的を達成するために、発明１７の加工印刷プログラムは、
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段とを備えるコンピュータシステムに、前記印刷ヘッド、前記加工ヘッドおよび前記ヘッド位置変更手段を印刷データに基づいて制御する印刷制御手段として実現される処理を実行させるためのプログラムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記印刷媒体を加工するようになっていることを特徴とする。
【００４７】
このような構成であれば、コンピュータシステムによってプログラムが読み取られ、読み取られたプログラムに従ってコンピュータシステムが処理を実行すると、発明１の加工機能付き印刷システムと同等の作用および効果が得られる。
【００４８】
〔発明１８〕  さらに、発明１８の加工印刷プログラムは、
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段とを備えるコンピュータシステムに、前記印刷ヘッド、前記カッティングヘッド、前記ヘッド移動手段および前記印刷媒体送出手段を印刷データに基づいて制御する印刷制御手段として実現される処理を実行させるためのプログラムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記画像を切り取るようになっていることを特徴とする。
【００４９】
このような構成であれば、コンピュータシステムによってプログラムが読み取られ、読み取られたプログラムに従ってコンピュータシステムが処理を実行すると、発明２の加工機能付き印刷システムと同等の作用および効果が得られる。
【００５０】
〔発明１９〕  さらに、発明１９の加工印刷プログラムは、
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段とを備えるコンピュータシステムに、前記印刷ヘッド、前記加工ヘッドおよび前記ヘッド位置変更手段を印刷データに基づいて制御する印刷制御手段として実現される処理を実行させるためのプログラムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記印刷媒体を加工するようになっていることを特徴とする。
【００５１】
このような構成であれば、コンピュータシステムによってプログラムが読み取られ、読み取られたプログラムに従ってコンピュータシステムが処理を実行すると、発明１０の加工機能付き印刷システムと同等の作用および効果が得られる。
【００５２】
〔発明２０〕  さらに、発明２０の加工印刷プログラムは、
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段とを備えるコンピュータシステムに、前記印刷ヘッド、前記カッティングヘッド、前記ヘッド移動手段および前記印刷媒体送出手段を印刷データに基づいて制御する印刷制御手段として実現される処理を実行させるためのプログラムであって、
前記印刷データは、画像を印刷する画像データと、前記画像の切取マージンに関する切取マージンデータとを含み、
前記印刷制御手段は、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記画像を切り取るようになっていることを特徴とする。
【００５３】
このような構成であれば、コンピュータシステムによってプログラムが読み取られ、読み取られたプログラムに従ってコンピュータシステムが処理を実行すると、発明１１の加工機能付き印刷システムと同等の作用および効果が得られる。
【００５４】
〔発明２１〕  一方、上記目的を達成するために、発明２１の画像処理プログラムは、
画像データに基づいて構成される画像の切取マージン幅を設定する切取マージン幅設定手段、前記画像データおよび前記切取マージン幅設定手段で設定した設定切取マージン幅に基づいて前記画像の切取マージンに関する切取マージンデータを生成する切取マージンデータ生成手段、並びに前記画像データおよび前記切取マージンデータ生成手段で生成した切取マージンデータを含む印刷データを送信する印刷データ送信手段として実現される処理をコンピュータに実行させるためのプログラムを含み、
前記切取マージンデータ生成手段は、前記画像データおよび前記切取マージン幅設定手段で設定した設定切取マージン幅に基づいて、前記画像の輪郭線から前記設定切取マージン幅をもって前記画像の輪郭線に沿って形成した切取線に関する切取線情報を含む切取マージンデータを生成するようになっていることを特徴とする。
【００５５】
このような構成であれば、コンピュータによってプログラムが読み取られ、読み取られたプログラムに従ってコンピュータが処理を実行すると、発明１２の画像処理装置と同等の作用および効果が得られる。
【００５６】
〔発明２２〕  さらに、発明２２の画像処理プログラムは、発明２１の画像処理プログラムにおいて、
前記切取マージンデータ生成手段は、前記設定切取マージン幅を半径とした円の中心点を前記画像の輪郭線上に移動させたときに、前記画像の輪郭線と直交しかつ前記円の中心点を通る直線と前記円の円周との交点が描く軌跡を前記切取線として形成し、形成した切取線に関する切取線情報を含む切取マージンデータを生成するようになっていることを特徴とする。
【００５７】
このような構成であれば、コンピュータによってプログラムが読み取られ、読み取られたプログラムに従ってコンピュータが処理を実行すると、発明１３の画像処理装置と同等の作用および効果が得られる。
【００５８】
〔発明２３〕  さらに、発明２３の画像処理プログラムは、
画像データに基づいて構成される画像の輪郭線より内側および外側のいずれかに切取マージンを設けるかの切取マージン方向を設定する切取マージン方向設定手段、前記画像データおよび前記切取マージン方向設定手段で設定した設定切取マージン方向に基づいて前記切取マージンデータを生成する切取マージンデータ生成手段、並びに前記画像データおよび前記切取マージンデータ生成手段で生成した切取マージンデータを含む印刷データを送信する印刷データ送信手段として実現される処理をコンピュータに実行させるためのプログラムを含み、
前記切取マージンデータ生成手段は、前記画像データおよび前記切取マージン方向設定手段で設定した設定切取マージン方向に基づいて、前記画像の輪郭線より前記設定切取マージン方向に所定の間隔をもって前記画像の輪郭線に沿って形成した切取線に関する切取線情報を含む切取マージンデータを生成するようになっていることを特徴とする。
【００５９】
このような構成であれば、コンピュータによってプログラムが読み取られ、読み取られたプログラムに従ってコンピュータが処理を実行すると、発明１４の画像処理装置と同等の作用および効果が得られる。
【００６０】
〔発明２４〕  さらに、発明２４の画像処理プログラムは、発明２３の画像処理プログラムにおいて、
前記切取マージン方向設定手段は、前記画像データに基づいて表示される画像領域のうち前記画像の内側が指示されたときは、前記画像の輪郭線より内側に切取マージンを設けるものとして切取マージン方向を設定し、前記画像データに基づいて表示される画像領域のうち前記画像の外側が指示されたときは、前記画像の輪郭線より外側に切取マージンを設けるものとして切取マージン方向を設定するようになっていることを特徴とする。
【００６１】
このような構成であれば、コンピュータによってプログラムが読み取られ、読み取られたプログラムに従ってコンピュータが処理を実行すると、発明１５の画像処理装置と同等の作用および効果が得られる。
【００６２】
〔発明２５〕  さらに、発明２５の画像処理プログラムは、発明２１ないし２４のいずれか１の画像処理プログラムにおいて、
前記画像データおよび前記切取マージンデータに基づいて前記画像の印刷位置および切り取り位置を調整する画像位置調整手段として実現される処理をコンピュータに実行させるためのプログラムを含み、
前記画像位置調整手段は、前記画像データに複数の画像が含まれる場合に、前記複数の画像のうち第１画像およびその切取マージンを含む第１切取領域と、前記複数の画像のうち第２画像およびその切取マージンを含む第２切取領域とが重なり合っているときは、前記第１切取領域と前記第２切取領域とが重なり合わないように、前記第１画像の印刷位置および切り取り位置、または前記第２画像の印刷位置および切り取り位置を変更するようになっていることを特徴とする。
【００６３】
このような構成であれば、コンピュータによってプログラムが読み取られ、読み取られたプログラムに従ってコンピュータが処理を実行すると、発明１６の画像処理装置と同等の作用および効果が得られる。
【００６４】
〔発明２６〕  一方、上記目的を達成するために、発明２６の加工印刷方法は、
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段とを備える加工機能付き印刷システムを利用して前記印刷媒体への印刷および前記印刷媒体の加工を連続して行う方法であって、
前記印刷ヘッド、前記カッティングヘッド、前記ヘッド移動手段および前記印刷媒体送出手段を印刷データに基づいて制御する印刷制御ステップを含み、
前記印刷データは、画像を印刷する画像データと、前記画像の切取マージンに関する切取マージンデータとを含み、
前記印刷制御ステップは、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記印刷媒体を加工することを特徴とする。
これにより、発明１の加工機能付き印刷システムと同等の効果が得られる。
【００６５】
〔発明２７〕  さらに、発明２７の加工印刷方法は、
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段とを備える加工機能付き印刷システムを利用して前記印刷媒体への印刷および前記印刷媒体の切り取りを連続して行う方法であって、
前記印刷ヘッド、前記カッティングヘッド、前記ヘッド移動手段および前記印刷媒体送出手段を印刷データに基づいて制御する印刷制御ステップを含み、
前記印刷データは、画像を印刷する画像データと、前記画像の切取マージンに関する切取マージンデータとを含み、
前記印刷制御ステップは、前記画像データおよび前記切取マージンデータに基づいて、前記印刷媒体に前記画像を印刷するとともに、前記画像データおよび前記切取マージンデータのいずれか一方に基づいて、前記画像の輪郭線から所定の間隔をもって前記画像の輪郭線に沿って前記画像を切り取ることを特徴とする。
これにより、発明２の加工機能付き印刷システムと同等の効果が得られる。
【００６６】
〔発明２８〕  さらに、発明２８の加工印刷方法は、発明２７の加工印刷方法において、
前記画像の切取マージン幅を設定する切取マージン幅設定ステップと、前記画像データおよび前記切取マージン幅設定ステップで設定した設定切取マージン幅に基づいて前記切取マージンデータを生成する切取マージンデータ生成ステップとを含み、
前記切取マージンデータ生成ステップは、前記画像データおよび前記切取マージン幅設定ステップで設定した設定切取マージン幅に基づいて、前記画像の輪郭線から前記設定切取マージン幅をもって前記画像の輪郭線に沿って形成した切取線に関する切取線情報を含む切取マージンデータを生成し、
前記印刷制御ステップは、前記画像データおよび前記切取マージンデータ生成ステップで生成した切取マージンデータに基づいて、前記印刷媒体に前記画像を印刷するとともに、前記画像データおよび前記切取マージンデータ生成ステップで生成した切取マージンデータのいずれか一方に基づいて、前記切取線上に前記画像を切り取ることを特徴とする。
これにより、発明３の加工機能付き印刷システムと同等の効果が得られる。
【００６７】
〔発明２９〕  さらに、発明２９の加工印刷方法は、発明２８の加工印刷方法において、
前記切取マージンデータ生成ステップは、前記設定切取マージン幅を半径とした円の中心点を前記画像の輪郭線上に移動させたときに、前記画像の輪郭線と直交しかつ前記円の中心点を通る直線と前記円の円周との交点が描く軌跡を前記切取線として形成し、形成した切取線に関する切取線情報を含む切取マージンデータを生成することを特徴とする。
これにより、発明４の加工機能付き印刷システムと同等の効果が得られる。
【００６８】
〔発明３０〕  さらに、発明３０の加工印刷方法は、発明２７の加工印刷方法において、
前記画像の輪郭線より内側および外側のいずれかに切取マージンを設けるかの切取マージン方向を設定する切取マージン方向設定ステップと、前記画像データおよび前記切取マージン方向設定ステップで設定した設定切取マージン方向に基づいて前記切取マージンデータを生成する切取マージンデータ生成ステップとを含み、
前記切取マージンデータ生成ステップは、前記画像データおよび前記切取マージン方向設定ステップで設定した設定切取マージン方向に基づいて、前記画像の輪郭線より前記設定切取マージン方向に所定の間隔をもって前記画像の輪郭線に沿って形成した切取線に関する切取線情報を含む切取マージンデータを生成し、
前記印刷制御ステップは、前記画像データおよび前記切取マージンデータ生成ステップで生成した切取マージンデータに基づいて、前記印刷媒体に前記画像を印刷するとともに、前記画像データおよび前記切取マージンデータ生成ステップで生成した切取マージンデータのいずれか一方に基づいて、前記切取線上に前記画像を切り取ることを特徴とする。
これにより、発明５の加工機能付き印刷システムと同等の効果が得られる。
【００６９】
〔発明３１〕  さらに、発明３１の加工印刷方法は、発明３０の加工印刷方法において、
前記切取マージン方向設定ステップは、前記画像データに基づいて表示される画像領域のうち前記画像の内側が指示されたときは、前記画像の輪郭線より内側に切取マージンを設けるものとして切取マージン方向を設定し、前記画像データに基づいて表示される画像領域のうち前記画像の外側が指示されたときは、前記画像の輪郭線より外側に切取マージンを設けるものとして切取マージン方向を設定することを特徴とする。
これにより、発明６の加工機能付き印刷システムと同等の効果が得られる。
【００７０】
〔発明３２〕  さらに、発明３２の加工印刷方法は、発明２７ないし３１のいずれか１の加工印刷方法において、
前記画像データおよび前記切取マージンデータに基づいて前記画像の印刷位置および切り取り位置を調整する画像位置調整ステップを含み、
前記画像位置調整ステップは、前記画像データに複数の画像が含まれる場合に、前記複数の画像のうち第１画像およびその切取マージンを含む第１切取領域と、前記複数の画像のうち第２画像およびその切取マージンを含む第２切取領域とが重なり合っているときは、前記第１切取領域と前記第２切取領域とが重なり合わないように、前記第１画像の印刷位置および切り取り位置、または前記第２画像の印刷位置および切り取り位置を変更することを特徴とする。
これにより、発明７の加工機能付き印刷システムと同等の効果が得られる。
【００７１】
〔発明３３〕  さらに、発明３３の加工印刷方法は、発明２８および２９のいずれか１の加工印刷方法において、
前記印刷ヘッド、前記カッティングヘッド、前記ヘッド移動手段および前記印刷媒体送出手段を有する印刷装置と、画像処理装置とを通信可能に接続し、
前記画像処理装置に対しては、前記切取マージン幅設定ステップと、前記切取マージンデータ生成ステップと、前記画像データおよび前記切取マージンデータ生成ステップで生成した切取マージンデータを含む印刷データを前記印刷装置に送信する印刷データ送信ステップとを含み、
前記印刷装置に対しては、前記印刷データを受信する印刷データ受信ステップと、前記印刷制御ステップとを含み、
前記印刷制御ステップは、前記印刷データ受信ステップで受信した印刷データに含まれる画像データおよび切取マージンデータに基づいて、前記印刷媒体に前記画像を印刷するとともに、前記印刷データ受信ステップで受信した印刷データに含まれる画像データおよび切取マージンデータのいずれか一方に基づいて、前記切取線上に前記画像を切り取ることを特徴とする。
これにより、発明８の加工機能付き印刷システムと同等の効果が得られる。
【００７２】
〔発明３４〕  さらに、発明３４の加工印刷方法は、発明３０および３１のいずれか１の加工印刷方法において、
前記印刷ヘッド、前記カッティングヘッド、前記ヘッド移動手段および前記印刷媒体送出手段を有する印刷装置と、画像処理装置とを通信可能に接続し、
前記画像処理装置に対しては、前記切取マージン方向設定ステップと、前記切取マージンデータ生成ステップと、前記画像データおよび前記切取マージンデータ生成ステップで生成した切取マージンデータを含む印刷データを前記印刷装置に送信する印刷データ送信ステップとを含み、
前記印刷装置に対しては、前記印刷データを受信する印刷データ受信ステップと、前記印刷制御ステップとを含み、
前記印刷制御ステップは、前記印刷データ受信ステップで受信した印刷データに含まれる画像データおよび切取マージンデータに基づいて、前記印刷媒体に前記画像を印刷するとともに、前記印刷データ受信ステップで受信した印刷データに含まれる画像データおよび切取マージンデータのいずれか一方に基づいて、前記切取線上に前記画像を切り取ることを特徴とする。
これにより、発明９の加工機能付き印刷システムと同等の効果が得られる。
【００７３】
〔発明３５〕  さらに、発明３５の加工印刷方法は、
印刷に用いられる印刷媒体に印刷を行う印刷ヘッドと、前記印刷媒体を加工する加工ヘッドと、前記印刷ヘッドおよび前記加工ヘッドを一体として前記印刷ヘッドおよび前記加工ヘッドの前記印刷媒体に対する相対位置を変更するヘッド位置変更手段とを備える加工機能付き印刷システムを利用して前記印刷媒体への印刷および前記印刷媒体の加工を連続して行う方法であって、
前記印刷ヘッド、前記加工ヘッドおよび前記ヘッド位置変更手段を印刷データに基づいて制御する印刷制御ステップを含み、
前記印刷データは、画像を印刷する画像データと、前記画像の切取マージンに関する切取マージンデータとを含み、
前記印刷制御ステップは、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記印刷媒体を加工することを特徴とする。
これにより、発明１０の加工機能付き印刷システムと同等の効果が得られる。
【００７４】
〔発明３６〕  さらに、発明３６の加工印刷方法は、
印刷に用いられる印刷媒体に印刷を行う印刷ヘッドと、前記印刷媒体の一部を切り取るカッティングヘッドと、前記印刷ヘッドおよび前記カッティングヘッドを一体として第１走査方向に移動させるヘッド移動手段と、前記第１走査方向と交差する第２走査方向に前記印刷媒体を送出する印刷媒体送出手段とを備える加工機能付き印刷システムを利用して前記印刷媒体への印刷および前記印刷媒体の切り取りを連続して行う方法であって、
前記印刷ヘッド、前記カッティングヘッド、前記ヘッド移動手段および前記印刷媒体送出手段を印刷データに基づいて制御する印刷制御ステップを含み、
前記印刷データは、画像を印刷する画像データと、前記画像の切取マージンに関する切取マージンデータとを含み、
前記印刷制御ステップは、前記画像データおよび前記切取マージンデータに基づいて、前記印刷媒体に前記画像を印刷するとともに、前記画像データおよび前記切取マージンデータのいずれか一方に基づいて、前記画像の輪郭線上に前記画像を切り取ることを特徴とする。
これにより、発明１１の加工機能付き印刷システムと同等の効果が得られる。
【発明を実施するための最良の形態】
【００７５】
以下、本発明の実施の形態を図面を参照しながら説明する。図１ないし図１０は、本発明に係る加工機能付き印刷システム、画像処理装置、加工印刷プログラムおよび画像処理プログラム、並びに加工印刷方法の実施の形態を示す図である。
本実施の形態は、本発明に係る加工機能付き印刷システム、画像処理装置、加工印刷プログラムおよび画像処理プログラム、並びに加工印刷方法を、図１に示すように、印刷装置２００において、画像処理装置１００からの印刷データに基づいて画像の印刷および切り取りを行う場合について適用したものである。
【００７６】
まず、本発明を適用するネットワークシステムの構成を図１を参照しながら説明する。
図１は、本発明を適用するネットワークシステムの構成を示すブロック図である。
画像処理装置１００と印刷装置２００とは、図１に示すように、印刷データを伝送するためのプリンタケーブル１９９により通信可能に接続されている。
次に、画像処理装置１００の構成を図２を参照しながら詳細に説明する。
【００７７】
図２は、画像処理装置１００の構成を示すブロック図である。
画像処理装置１００は、図２に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互にかつデータ授受可能に接続されている。
【００７８】
Ｉ／Ｆ３８には、外部装置として、ヒューマンインターフェースとしてデータの入力が可能なキーボードやマウス等からなる入力装置４０と、画像データやテーブル等をファイルとして格納する記憶装置４２と、画像信号に基づいて画面を表示する表示装置４４と、プリンタケーブル１９９とが接続されている。
ＣＰＵ３０は、マイクロプロセッシングユニット（ＭＰＵ）等からなり、ＲＯＭ３２の所定領域に格納されている所定のプログラムを起動させ、そのプログラムに従って、図３のフローチャートに示す印刷要求処理を実行するようになっている。
【００７９】
図３は、印刷要求処理を示すフローチャートである。
印刷要求処理は、プリンタドライバとして構成され、アプリケーションで印刷が要求されたときに起動する処理であって、ＣＰＵ３０において実行されると、図３に示すように、まず、ステップＳ１００に移行するようになっている。
ステップＳ１００では、画像データを記憶装置４２から読み出し、ステップＳ１０２に移行して、読み出した画像データに基づいて全画像領域を表示装置４４に表示し、ステップＳ１０４に移行する。
【００８０】
ステップＳ１０４では、画像領域のうち切取対象となる画像（以下、対象画像という。）の輪郭線より内側および外側のいずれかに切取マージンを設けるかの切取マージン方向を設定する。まず、対象画像の切取マージン方向を設定すべきことをユーザに対して要求する。そして、その設定要求に応じて画像領域のうち対象画像の内側が入力装置４０により指示されたときは、対象画像の輪郭線より内側に切取マージンを設けるものとして設定切取マージン方向を設定する。また、その設定要求に応じて画像領域のうち対象画像の外側が入力装置４０により指示されたときは、対象画像の輪郭線より外側に切取マージンを設けるものとして設定切取マージン方向を設定する。
【００８１】
次いで、ステップＳ１０６に移行して、対象画像の切取マージン幅を設定する。まず、対象画像の切取マージン幅を設定すべきことをユーザに対して要求する。そして、設定要求に応じて切取マージン幅を入力装置４０から入力したときは、入力した設定値を設定切取マージン幅として設定する。
次いで、ステップＳ１０８に移行して、読み出した画像データ、並びにステップＳ１０４，Ｓ１０６で設定した設定切取マージン方向および設定切取マージン幅に基づいて、対象画像の輪郭線より設定切取マージン方向に設定切取マージン幅をもって対象画像の輪郭線に沿って形成した切取線に関する切取線情報を含む切取マージンデータを生成する。
【００８２】
図４は、切取線を決定する場合を示す図である。
切取線は、図４に示すように、設定切取マージン方向が内側の場合、設定切取マージン幅を半径とした円３の中心点を対象画像の輪郭線１上に移動させたときに、対象画像の輪郭線１と直交しかつ円３の中心点を通る直線と円３の円周との交点３ａが描く軌跡２ａとして形成する。また、設定切取マージン方向が外側の場合、円３の中心点を対象画像の輪郭線１上に移動させたときに、対象画像の輪郭線１と直交しかつ円３の中心点を通る直線と円３の円周との交点３ｂが描く軌跡２ｂとして形成する。
【００８３】
次いで、ステップＳ１１０に移行して、読み出した画像データおよび生成した切取マージンデータに基づいて対象画像の印刷位置および切り取り位置を調整する。
図５は、対象画像の印刷位置および切り取り位置を調整する場合を示す図である。
図５（ａ）に示すように、画像データに２つの対象画像４ａ，５ａが含まれている場合に、対象画像４ａおよびその切取マージン４ｂを含む切取領域４ｃと、対象画像５ａおよびその切取マージン５ｂを含む切取領域５ｃとが重なり合っているとする。この場合、図５（ｂ）に示すように、切取領域４ｃと切取領域５ｃとが重なり合わないように、対象画像４ａの印刷位置および切り取り位置、または対象画像５ａの印刷位置および切り取り位置を変更する。
【００８４】
次いで、ステップＳ１１２に移行して、読み出した画像データおよび生成した切取マージンデータを含む印刷データを印刷要求とともに印刷装置２００に送信し、一連の処理を終了して元の処理に復帰させる。
次に、印刷装置２００の構成を図６を参照しながら詳細に説明する。
図６は、印刷装置２００の構成を示す機能ブロック図である。
【００８５】
印刷装置２００は、図６に示すように、印刷用紙５０に印刷を行う印刷ヘッド５２と、印刷用紙５０を切り取るカッティングヘッド５４と、印刷ヘッド５２およびカッティングヘッド５４を一体として移動可能に支持するガイドレール５６と、印刷ヘッド５２およびカッティングヘッド５４をガイドレール５６上で移動させるヘッド駆動部５８と、ガイドレール５６と直交する方向に印刷用紙５０を送出する用紙送出部６０と、印刷ヘッド５２、カッティングヘッド５４、ヘッド駆動部５８および用紙送出部６０を印刷データに基づいて制御する印刷制御部６２とで構成されている。
【００８６】
次に、印刷制御部６２の構成を図７を参照しながら詳細に説明する。
図７は、印刷制御部６２の構成を示すブロック図である。
印刷制御部６２は、図７に示すように、制御プログラムに基づいて演算およびシステム全体を制御するＣＰＵ７０と、所定領域にあらかじめＣＰＵ７０の制御プログラム等を格納しているＲＯＭ７２と、ＲＯＭ７２等から読み出したデータやＣＰＵ７０の演算過程で必要な演算結果を格納するためのＲＡＭ７４と、外部装置に対してデータの入出力を媒介するＩ／Ｆ７８とで構成されており、これらは、データを転送するための信号線であるバス７９で相互にかつデータ授受可能に接続されている。
【００８７】
Ｉ／Ｆ７８には、外部装置として、印刷ヘッド５２と、カッティングヘッド５４と、ヘッド駆動部５８と、用紙送出部６０と、プリンタケーブル１９９とが接続されている。
ＣＰＵ７０は、マイクロプロセッシングユニット（ＭＰＵ）等からなり、ＲＯＭ７２の所定領域に格納されている所定のプログラムを起動させ、そのプログラムに従って、図８のフローチャートに示す画像印刷処理を実行するようになっている。
【００８８】
図８は、画像印刷処理を示すフローチャートである。
画像印刷処理は、画像処理装置１００からの印刷要求に応じて印刷を行う処理であって、ＣＰＵ７０において実行されると、図８に示すように、まず、ステップＳ２００に移行するようになっている。
ステップＳ２００では、印刷要求を受信したか否かを判定し、印刷要求を受信したと判定したとき(Yes)は、ステップＳ２０２に移行するが、そうでないと判定したとき(No)は、印刷要求を受信するまでステップＳ２００で待機する。
【００８９】
ステップＳ２０２では、印刷データを受信し、ステップＳ２０４に移行して、受信した印刷データに含まれる画像データおよび切取マージンデータに基づいて、印刷用紙５０に対象画像を印刷するとともに、受信した印刷データに含まれる画像データおよび切取マージンデータのいずれか一方に基づいて、切取線上に対象画像を切り取り、一連の処理を終了して元の処理に復帰させる。
【００９０】
次に、本実施の形態の動作を図９および図１０を参照しながら説明する。
対象画像の印刷および切り取りを行う場合、画像処理装置１００では、ユーザは、まず、アプリケーションからプリンタドライバを起動させる。プリンタドライバが起動すると、ステップＳ１００，Ｓ１０２を経て、画像データが記憶装置４２から読み出され、読み出された画像データに基づいて全画像領域が表示装置４４に表示される。
【００９１】
次いで、ステップＳ１０４を経て、対象画像の切取マージン方向を設定すべきことがユーザに対して要求される。
図９は、対象画像の切取マージン方向を設定する場合を示す図である。
例えば、図９に示すように、星形の対象画像１０の印刷および切り取りを行う場合に、ユーザが対象画像１０の内側に切取マージンを設けたいときは、ユーザは、図９（ａ）に示すように、対象画像１０の内側（1)の符号で示す領域）を指示する。対象画像１０の内側が指示されると、対象画像１０の輪郭線より内側に切取マージンを設けるものとして設定切取マージン方向が設定される。また、ユーザが対象画像１０の外側に切取マージンを設けたいときは、ユーザは、図９（ｂ）に示すように、対象画像１０の外側（2)の符号で示す領域）を指示する。対象画像１０の外側が指示されると、対象画像１０の輪郭線より外側に切取マージンを設けるものとして設定切取マージン方向が設定される。
【００９２】
次いで、ステップＳ１０６を経て、対象画像の切取マージン幅を設定すべきことがユーザに対して要求される。
図１０は、対象画像の切取マージン幅を設定する場合を示す図である。
例えば、図１０に示すように、星形の対象画像１０の印刷および切り取りを行う場合に、ユーザが切取マージン幅を設定すると、設定切取マージン方向が内側であるときは、図１０（ａ）に示すように、対象画像１０の内側に切取マージン１２が設けられる。また、設定切取マージン方向が外側であるときは、図１０（ｂ）に示すように、対象画像１０の外側に切取マージン１２が設けられる。
【００９３】
次いで、ステップＳ１０８を経て、読み出された画像データ、並びに設定切取マージン方向および設定切取マージン幅に基づいて、対象画像の輪郭線より設定切取マージン方向に設定切取マージン幅をもって対象画像の輪郭線に沿って形成した切取線に関する切取線情報を含む切取マージンデータが生成される。
そして、ステップＳ１１０，Ｓ１１２を経て、読み出された画像データおよび生成された切取マージンデータに基づいて対象画像の印刷位置および切り取り位置が調整され、調整後の画像データおよび切取マージンデータを含む印刷データが印刷要求とともに印刷装置２００に送信される。
【００９４】
印刷装置２００では、印刷要求を受信すると、ステップＳ２０２，Ｓ２０４を経て、印刷データを受信し、受信した印刷データに含まれる画像データおよび切取マージンデータに基づいて、印刷ヘッド５２、カッティングヘッド５４、ヘッド駆動部５８および用紙送出部６０が制御される。その結果、ヘッド駆動部５８により、印刷ヘッド５２およびカッティングヘッド５４が一体となってガイドレール５６上を移動するとともに、用紙送出部６０により、ガイドレール５６と直交する方向に印刷用紙５０が送出される。そして、印刷ヘッド５２により、印刷用紙５０に対象画像が印刷されるとともに、カッティングヘッド５４により、対象画像の輪郭線より設定切取マージン方向に設定切取マージン幅をもって対象画像の輪郭線に沿って対象画像が切り取られる。
【００９５】
このようにして、本実施の形態では、画像処理装置１００は、画像データに基づいて切取マージンデータを生成し、画像データおよび切取マージンデータを含む印刷データを印刷装置２００に送信するようになっており、印刷装置２００は、受信した印刷データに含まれる画像データおよび切取マージンデータに基づいて、印刷用紙５０に対象画像を印刷するとともに、受信した印刷データに含まれる画像データおよび切取マージンデータのいずれか一方に基づいて、対象画像の輪郭線から所定の間隔をもって対象画像の輪郭線に沿って対象画像を切り取るようになっている。
【００９６】
これにより、対象画像の輪郭線から所定の切取マージンをもって対象画像を切り取ることができる。また、その場合でも、印刷用紙５０への印刷および印刷用紙５０の切り取りを連続して行うことができるので、従来に比して、切取マージンをもって対象画像を切り取る場合の手間を低減することができるとともに、切り取り位置を比較的正確に調整することができる。
【００９７】
さらに、本実施の形態では、画像処理装置１００は、対象画像の切取マージン幅を設定し、画像データおよび設定切取マージン幅に基づいて、対象画像の輪郭線から設定切取マージン幅をもって対象画像の輪郭線に沿って形成した切取線に関する切取線情報を含む切取マージンデータを生成するようになっており、印刷装置２００は、受信した印刷データに含まれる画像データおよび切取マージンデータに基づいて、印刷用紙５０に対象画像を印刷するとともに、受信した印刷データに含まれる画像データおよび切取マージンデータのいずれか一方に基づいて、切取線上に対象画像を切り取るようになっている。
【００９８】
これにより、ユーザが所望する切取マージン幅を設定することができる。また、画像データおよび設定切取マージン幅に基づいて切取マージンデータが生成されるので、切取マージンデータを生成する手間を低減することができる。
さらに、本実施の形態では、画像処理装置１００は、設定切取マージン幅を半径とした円の中心点を対象画像の輪郭線上に移動させたときに、対象画像の輪郭線と直交しかつ円の中心点を通る直線と円３の円周との交点が描く軌跡を切取線として形成し、形成した切取線に関する切取線情報を含む切取マージンデータを生成するようになっている。
【００９９】
これにより、対象画像の輪郭線全周にわたってほぼ均一な切取マージンをもって対象画像を切り取ることができる。
さらに、本実施の形態では、画像処理装置１００は、対象画像の輪郭線より内側および外側のいずれかに切取マージンを設けるかの切取マージン方向を設定し、画像データおよび設定切取マージン方向に基づいて、対象画像の輪郭線より設定切取マージン方向に所定の間隔をもって対象画像の輪郭線に沿って形成した切取線に関する切取線情報を含む切取マージンデータを生成するようになっており、印刷装置２００は、受信した印刷データに含まれる画像データおよび切取マージンデータに基づいて、印刷用紙５０に対象画像を印刷するとともに、受信した印刷データに含まれる画像データおよび切取マージンデータのいずれか一方に基づいて、切取線上に対象画像を切り取るようになっている。
【０１００】
これにより、ユーザが所望する切取マージン方向を設定することができる。また、画像データおよび設定切取マージン方向に基づいて切取マージンデータが生成されるので、切取マージンデータを生成する手間を低減することができる。
さらに、本実施の形態では、画像処理装置１００は、画像データに基づいて表示される画像領域のうち対象画像の内側が指示されたときは、対象画像の輪郭線より内側に切取マージンを設けるものとして切取マージン方向を設定し、画像データに基づいて表示される画像領域のうち対象画像の外側が指示されたときは、対象画像の輪郭線より外側に切取マージンを設けるものとして切取マージン方向を設定するようになっている。
【０１０１】
これにより、対象画像の内側か外側を指示するだけでよいので、切取マージン方向の設定を比較的容易に行うことができる。
さらに、本実施の形態では、画像処理装置１００は、画像データに複数の対象画像が含まれる場合に、複数の対象画像のうち第１対象画像およびその切取マージンを含む第１切取領域と、複数の対象画像のうち第２対象画像およびその切取マージンを含む第２切取領域とが重なり合っているときは、第１切取領域と第２切取領域とが重なり合わないように、第１対象画像の印刷位置および切り取り位置、または第２対象画像の印刷位置および切り取り位置を変更するようになっている。
【０１０２】
これにより、画像データに複数の対象画像が含まれる場合に、第１切取領域および第２切取領域を他方の切取領域が干渉することなく切り取ることができる。
上記実施の形態において、印刷用紙５０は、発明１ないし３、５、８、９、１７、１８、２６ないし２８、３０、３３または３４の印刷媒体に対応し、ステップＳ１０４は、発明５、６、９、１４、１５、２３または２４の切取マージン方向設定手段に対応し、ステップＳ１０６は、発明３、８、１２または２１の切取マージン幅設定手段に対応している。また、ステップＳ１０８は、発明３ないし５、８、９、１２ないし１４、２１ないし２３の切取マージンデータ生成手段に対応し、ステップＳ１１０は、発明７、１６または２５の画像位置調整手段に対応し、ステップＳ１１２は、発明８、９、１２、１４、２１または２３の印刷データ送信手段に対応している。
【０１０３】
また、上記実施の形態において、カッティングヘッド５４は、発明１、１７または２６の加工ヘッドに対応し、ガイドレール５６、ヘッド駆動部５８および用紙送出部６０は、発明１、１７または２６のヘッド位置変更手段に対応し、ガイドレール５６およびヘッド駆動部５８は、発明２、８、９、１８、２６、２７、３３または３４のヘッド移動手段に対応している。また、用紙送出部６０は、発明２、８、９、１８、２６、２７、３３または３４の印刷媒体送出手段に対応し、印刷制御部６２およびステップＳ２０４は、発明１ないし３、５、８、９、１７または１８の印刷制御手段に対応し、ステップＳ２０２は、発明８または９の印刷データ受信手段に対応している。
【０１０４】
また、上記実施の形態において、ステップＳ２０４は、発明２６ないし２８、３０、３３または３４の印刷制御ステップに対応している。
なお、上記実施の形態においては、対象画像の輪郭線から所定の間隔をもって対象画像の輪郭線に沿って対象画像を切り取るように構成したが、これに限らず、対象画像の輪郭線上に対象画像を切り取るように構成することもできる。
【０１０５】
まず、ユーザが図１１のような半径５cmの円の画像を作成し、画像の輪郭線と切取線とを一致させて画像を切り取る場合について説明する。
図１１は、対象画像の切取マージン方向を設定する場合を示す図である。
図１１（ａ）は円を使用したい場合であり、図１１（ｂ）は円を切り取った外枠を使用したい場合である。
【０１０６】
ステップＳ１００では、図１１に示す画像の画像データを読み出し、ステップＳ１０２に移行して、図１１に示す画像を表示し、ステップＳ１０４に移行する。
ステップＳ１０４では、図１１（ａ）の場合は円の外側、図１１（ｂ）の場合は円の内側にそれぞれ切取マージン方向を設定し、ステップＳ１０６に移行して、切取マージン幅を設定し、ステップＳ１０８に移行する。
【０１０７】
図１２は、画像の輪郭線と切取線を一致させて画像を切り取る場合を示す図である。
ステップＳ１０８では、設定した切取マージン方向および切取マージン幅に基づいて切取マージンデータを生成する。図１２の例では、切取マージン幅を0.5cmとしている。また、切取マージン以外にはあえて色をつけていないが、本来、図１２（ａ）の場合は画像の輪郭線の内側に、図１２（ｂ）の場合は画像の輪郭線の外側に色がついている。したがって、図１２（ａ），（ｂ）の場合はいずれも切取線は画像の輪郭線と一致する。切取線が切取マージンの外縁線（以下、マージン線という。）でない点で上記実施の形態とは異なる。
【０１０８】
これにより、印刷用紙５０への印刷および印刷用紙５０の切り取りを連続して行うことができるので、従来に比して、対象画像を切り取る場合の手間を低減することができるとともに、切り取り位置を比較的正確に調整することができる。
次に、ユーザが図１１のような半径５cmの円の画像を作成し、マージン線と切取線とを一致させて画像を切り取る場合について説明する。これは、上記実施の形態と同じ場合である。
【０１０９】
図１１（ａ）は円を使用したい場合であり、図１１（ｂ）は円を切り取った外枠を使用したい場合である。
ユーザから見た処理フローとデータは上記場合と同様であるが、内部的に持っている画像データが異なる。これは、メモリ上で持っている画像データが異なることを意味する。
図１３は、マージン線と切取線を一致させて画像を切り取る場合を示す図である。
【０１１０】
画像データが上記場合と異なるのは、画像の輪郭線である。
ステップＳ１０８では、図１３（ａ）の場合、切取マージン幅および切取マージン方向を設定したあと、画像は、切取マージン方向に切取マージン幅だけ大きくなる。すなわち、その画像の輪郭線から切取マージン幅だけ、設定した切取マージン方向とは逆にマージンが形成される。これに対し、図１３（ｂ）の場合は、切取マージン幅および切取マージン方向を設定したあと、画像は、切取マージン方向に切取マージン幅だけ小さくなる。すなわち、その画像の輪郭線から切取マージン幅だけ、設定した切取マージン方向とは逆にマージンが形成される。したがって、図１３（ａ），（ｂ）の場合はいずれも切取線はマージン線と一致する。
【０１１１】
このように、切取線は、画像データの持ち方によって画像の輪郭線またはマージン線となる。
この場合において、印刷用紙５０は、発明１０、１１、１９、２０、３５または３６の印刷媒体に対応し、カッティングヘッド５４は、発明１０、１９または３５の加工ヘッドに対応し、ガイドレール５６、ヘッド駆動部５８および用紙送出部６０は、発明１０、１９または３５のヘッド位置変更手段に対応している。また、ガイドレール５６およびヘッド駆動部５８は、発明１１、２０または３６のヘッド移動手段に対応し、用紙送出部６０は、発明１１、２０または３６の印刷媒体送出手段に対応し、印刷制御部６２およびステップＳ２０４は、発明１０、１１、１９または２０の印刷制御手段に対応している。
【０１１２】
また、ステップＳ２０４は、発明３５または３６の印刷制御ステップに対応している。
また、上記実施の形態においては、画像データおよび切取マージンデータに基づいて対象画像を印刷するとともに、画像データおよび切取マージンデータのいずれか一方に基づいて対象画像を切り取るように構成したが、より具体的には、画像データおよび切取マージンデータの用い方については、図１４および図１５に示すようになる。
【０１１３】
図１４は、カッティングヘッド５４の制御に画像データを使用する場合を示す図である。
図１４においては、印刷ヘッド５２、ヘッド駆動部５８および用紙送出部６０は、画像データおよび切取マージンデータに基づいて制御を行い、カッティングヘッド５４は、画像データに基づいて制御を行う。すなわち、画像データおよび切取マージンデータに基づいて対象画像を印刷するとともに、画像データに基づいて対象画像を切り取る。
【０１１４】
図１５は、カッティングヘッド５４の制御に切取マージンデータを使用する場合を示す図である。
図１５においては、印刷ヘッド５２、ヘッド駆動部５８および用紙送出部６０は、画像データおよび切取マージンデータに基づいて制御を行い、カッティングヘッド５４は、切取マージンデータに基づいて制御を行う。すなわち、画像データおよび切取マージンデータに基づいて対象画像を印刷するとともに、切取マージンデータに基づいて対象画像を切り取る。
【０１１５】
また、上記実施の形態においては、印刷用紙５０への印刷および印刷用紙５０の切り取りを連続して行うように構成したが、印刷用紙５０への印刷および印刷用紙５０の切り取りは、連続して行うようになっていれば、どのような順序で行うようにしてもよい。具体的には、３つの構成が考えられる。第１の構成としては、印刷用紙５０への印刷を行ってから印刷用紙５０の切り取りを行う。第２の構成としては、印刷用紙５０の切り取りを行ってから印刷用紙５０への印刷を行う。第３の構成としては、印刷用紙５０への印刷および印刷用紙５０の切り取りを並行して行う。
【０１１６】
また、上記実施の形態においては、ステップＳ１０４〜Ｓ１１０の処理を画像処理装置１００において実行するように構成したが、これに限らず、これらの処理を印刷装置２００で実行するように構成することもできる。
また、上記実施の形態においては、対象画像の形状や大きさによらず、対象画像の輪郭線からユーザ指定の切取マージン幅をもって対象画像を切り取るように構成したが、これに限らず、対象画像の形状や大きさに応じて切取マージン幅を設定し、対象画像の輪郭線から設定切取マージン幅をもって対象画像を切り取るように構成することもできる。例えば、対象画像が大きいときは、切取マージン幅を小さく設定し、対象画像が小さいときは、切取マージン幅を大きく設定する。
【０１１７】
また、上記実施の形態において、図３のフローチャートに示す処理を実行するにあたっては、ＲＯＭ３２にあらかじめ格納されている制御プログラムを実行する場合について説明したが、これに限らず、これらの手順を示したプログラムが記憶された記憶媒体から、そのプログラムをＲＡＭ３４に読み込んで実行するようにしてもよい。
また、上記実施の形態において、図８のフローチャートに示す処理を実行するにあたっては、ＲＯＭ７２にあらかじめ格納されている制御プログラムを実行する場合について説明したが、これに限らず、これらの手順を示したプログラムが記憶された記憶媒体から、そのプログラムをＲＡＭ７４に読み込んで実行するようにしてもよい。
【０１１８】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１１９】
また、上記実施の形態においては、本発明に係る加工機能付き印刷システム、画像処理装置、加工印刷プログラムおよび画像処理プログラム、並びに加工印刷方法を、図１に示すように、印刷装置２００において、画像処理装置１００からの印刷データに基づいて画像の印刷および切り取りを行う場合について適用したが、これに限らず、本発明の主旨を逸脱しない範囲で他の場合にも適用可能である。
【図面の簡単な説明】
【０１２０】
【図１】本発明を適用するネットワークシステムの構成を示すブロック図である。
【図２】画像処理装置１００の構成を示すブロック図である。
【図３】印刷要求処理を示すフローチャートである。
【図４】切取線を決定する場合を示す図である。
【図５】対象画像の印刷位置および切り取り位置を調整する場合を示す図である。
【図６】印刷装置２００の構成を示す機能ブロック図である。
【図７】印刷制御部６２の構成を示すブロック図である。
【図８】画像印刷処理を示すフローチャートである。
【図９】対象画像の切取マージン方向を設定する場合を示す図である。
【図１０】対象画像の切取マージン幅を設定する場合を示す図である。
【図１１】対象画像の切取マージン方向を設定する場合を示す図である。
【図１２】画像の輪郭線と切取線を一致させて画像を切り取る場合を示す図である。
【図１３】マージン線と切取線を一致させて画像を切り取る場合を示す図である。
【図１４】カッティングヘッド５４の制御に画像データを使用する場合を示す図である。
【図１５】カッティングヘッド５４の制御に切取マージンデータを使用する場合を示す図である。
【符号の説明】
【０１２１】
１００…画像処理装置，  ３０…ＣＰＵ，  ３２…ＲＯＭ，  ３４…ＲＡＭ，  ３８…Ｉ／Ｆ，  ４０…入力装置，  ４２…記憶装置，  ４４…表示装置，  ２００…印刷装置，  ５０…印刷用紙，  ５２…印刷ヘッド，  ５４…カッティングヘッド，  ５６…ガイドレール，  ５８…ヘッド駆動部，  ６０…用紙送出部，  ６２…印刷制御部，  ７０…ＣＰＵ，  ７２…ＲＯＭ，  ７４…ＲＡＭ，  ７８…Ｉ／Ｆ，  １９９…プリンタケーブル
【図１】
2005014594.tif 000003
【図２】
2005014594.tif 000004
【図３】
2005014594.tif 000005
【図４】
2005014594.tif 000006
【図５】
2005014594.tif 000007
【図６】
2005014594.tif 000008
【図７】
2005014594.tif 000009
【図８】
2005014594.tif 000010
【図９】
2005014594.tif 000011
【図１０】
2005014594.tif 000012
【図１１】
2005014594.tif 000013
【図１２】
2005014594.tif 000014
【図１３】
2005014594.tif 000015
【図１４】
2005014594.tif 000016
【図１５】
2005014594.tif 000017